(57)【特許請求の範囲】
【請求項１】
縦方向と、前記縦方向と交差する横方向と、を有し、
二つのシートと、
前記二つのシートの間に挟まれ、かつ、前記横方向に沿った複数の弾性部材と、を備える使い捨て着用物品であって、
前記弾性部材として、
前記二つのシートのうちの少なくとも一方に前記シートの前記横方向における一端部から他端部に亘って接合された二つの接合弾性部材と、
前記縦方向において前記二つの接合弾性部材の間に設けられ、かつ、前記二つのシートのうちの少なくとも一方に前記一端部及び前記他端部において接合され、前記一端部と前記他端部との間に前記二つのシートのいずれにも接合しない非接合部を有する非接合弾性部材と、を有し、
排泄物を吸収する吸収体を備えた吸収性本体と、
前記吸収性本体の一端側及び他端側に位置する胴回り部と、を備え、
前記胴回り部は、前記二つのシートにより形成され、
前記非接合弾性部材は、前記胴回り部の前記縦方向における両端部と中央部のうちの中央部のみに設けられていることを特徴とする使い捨て着用物品。
を有することを特徴とする使い捨て着用物品。
【請求項２】
請求項１に記載の使い捨て着用物品であって、
前記胴回り部は、他方の前記胴回り部と接合するための接合箇所を、前記横方向における前記胴回り部の両縁部に備えており、
前記非接合弾性部材は、前記接合箇所と、該接合箇所と隣接し該接合箇所の前記横方向における内側に位置する内側箇所と、において、前記二つのシートのうちの少なくとも一方に接合されていることを特徴とする使い捨て着用物品。
【請求項３】
請求項１又は２に記載の使い捨て着用物品であって、
前記胴回り部は、前記吸収体と重なる吸収体重なり部を有し、
前記非接合弾性部材として、一部が前記吸収体重なり部上に配置されている重畳弾性部材を有し、
前記重畳弾性部材は、前記吸収体重なり部において、前記二つのシートのうちの少なくとも一方に接合されていることを特徴とする使い捨て着用物品。
【請求項４】
請求項３に記載の使い捨て着用物品であって、
前記重畳弾性部材は、前記吸収体重なり部から、前記吸収体重なり部の端を越えて該吸収体重なり部の前記横方向における外側まで、接合されていることを特徴とする使い捨て着用物品。
【請求項５】
請求項１乃至請求項４のいずれかに記載の使い捨て着用物品であって、
前記胴回り部は、前記胴回り部の前記横方向における中央部に、前記吸収体と重なる吸収体重なり部を有し、
前記非接合弾性部材として、前記縦方向において前記胴回り部の上端部と前記吸収体重なり部との間に設けられた非重畳弾性部材を有し、
前記非重畳弾性部材は、
前記胴回り部の前記横方向における中央部に、前記非接合部を有することを特徴とする使い捨て着用物品。
【請求項６】
縦方向と、前記縦方向と交差する横方向と、を有し、
二つのシートと、
前記二つのシートの間に挟まれ、かつ、前記横方向に沿った複数の弾性部材と、を備える使い捨て着用物品であって、
前記弾性部材として、
前記二つのシートのうちの少なくとも一方に前記シートの前記横方向における一端部から他端部に亘って接合された二つの接合弾性部材と、
前記縦方向において前記二つの接合弾性部材の間に設けられ、かつ、前記二つのシートのうちの少なくとも一方に前記一端部及び前記他端部において接合され、前記一端部と前記他端部との間に前記二つのシートのいずれにも接合しない非接合部を有する非接合弾性部材と、を有し、
排泄物を吸収する吸収体を備えた吸収性本体と、
前記吸収性本体の一端側及び他端側に位置する胴回り部と、を備え、
前記胴回り部は、前記二つのシートにより形成され、かつ、前記胴回り部の前記横方向における中央部に、前記吸収体と重なる吸収体重なり部を有し、
前記非接合弾性部材として、前記縦方向において前記胴回り部の上端部と前記吸収体重なり部との間に設けられた非重畳弾性部材を有し、
前記非重畳弾性部材は、
前記胴回り部の前記横方向における中央部に、前記非接合部を有し、
前記吸収性本体の一端側に位置する胴回り部は背側胴回り部であり、他端側に位置する胴回り部は腹側胴回り部であり、
前記背側胴回り部における前記吸収体重なり部の上端から前記背側胴回り部の上端までの距離は、前記腹側胴回り部における前記吸収体重なり部の上端から前記腹側胴回り部の上端までの距離よりも大きく、
前記背側胴回り部に設けられた前記非重畳弾性部材の数は、前記腹側胴回り部に設けられた前記非重畳弾性部材の数よりも多いことを特徴とする使い捨て着用物品。
【請求項７】
縦方向と、前記縦方向と交差する横方向と、を有し、
二つのシートと、
前記二つのシートの間に挟まれ、かつ、前記横方向に沿った複数の弾性部材と、を備える使い捨て着用物品であって、
前記弾性部材として、
前記二つのシートのうちの少なくとも一方に前記シートの前記横方向における一端部から他端部に亘って接合された二つの接合弾性部材と、
前記縦方向において前記二つの接合弾性部材の間に設けられ、かつ、前記二つのシートのうちの少なくとも一方に前記一端部及び前記他端部において接合され、前記一端部と前記他端部との間に前記二つのシートのいずれにも接合しない非接合部を有する非接合弾性部材と、を有し、
前記非接合弾性部材として、
前記一端部及び前記他端部において接合され、前記一端部と前記他端部との間においては前記シートの前記横方向における中央部に一箇所の非接合部を有する中央非接合弾性部材と、
前記一端部及び前記他端部において接合され、かつ、前記一端部と前記他端部との間においては前記中央部においても接合され、前記一端部と前記中央部との間と前記他端部と前記中央部との間とに二箇所の非接合部を有する分割非接合弾性部材と、を有し、
前記分割非接合弾性部材の前記非接合部の長さは、前記中央非接合弾性部材の前記非接合部の長さよりも短いことを特徴とする使い捨て着用物品。
【請求項８】
縦方向と、前記縦方向と交差する横方向と、を有し、
二つのシートと、
前記二つのシートの間に挟まれ、かつ、前記横方向に沿った複数の弾性部材と、を備える使い捨て着用物品であって、
前記弾性部材として、
前記二つのシートのうちの少なくとも一方に前記シートの前記横方向における一端部から他端部に亘って接合された二つの接合弾性部材と、
前記縦方向において前記二つの接合弾性部材の間に設けられ、かつ、前記二つのシートのうちの少なくとも一方に前記一端部及び前記他端部において接合され、前記一端部と前記他端部との間に前記二つのシートのいずれにも接合しない非接合部を有する非接合弾性部材と、を有し、
排泄物を吸収する吸収体を備えた吸収性本体と、前記吸収性本体の一端側に位置する背側胴回り部と、前記吸収性本体の他端側に位置する腹側胴回り部と、を備え、
前記背側胴回り部及び前記腹側胴回り部は、前記二つのシートにより形成され、
前記非接合弾性部材として、
前記一端部及び前記他端部において接合され、前記一端部と前記他端部との間においては前記シートの前記横方向における中央部に一箇所の非接合部を有する中央非接合弾性部材と、
前記一端部及び前記他端部において接合され、かつ、前記一端部と前記他端部との間においては前記中央部においても接合され、前記一端部と前記中央部との間と前記他端部と前記中央部との間とに二箇所の非接合部を有する分割非接合弾性部材と、を有し、
前記背側胴回り部に設けられた前記中央非接合弾性部材の前記非接合部の長さは、前記腹側胴回り部に設けられた前記中央非接合弾性部材の前記非接合部の長さと異なり、
前記背側胴回り部に設けられた前記分割非接合弾性部材の前記非接合部の長さは、前記腹側胴回り部に設けられた前記分割非接合弾性部材の前記非接合部の長さと異なることを特徴とする使い捨て着用物品。
【請求項９】
縦方向と、前記縦方向と交差する横方向と、を有し、
二つのシートと、
前記二つのシートの間に挟まれ、かつ、前記横方向に沿った複数の弾性部材と、を備える使い捨て着用物品であって、
前記弾性部材として、
前記二つのシートのうちの少なくとも一方に前記シートの前記横方向における一端部から他端部に亘って接合された二つの接合弾性部材と、
前記縦方向において前記二つの接合弾性部材の間に設けられ、かつ、前記二つのシートのうちの少なくとも一方に前記一端部及び前記他端部において接合され、前記一端部と前記他端部との間に前記二つのシートのいずれにも接合しない非接合部を有する非接合弾性部材と、を有し、
排泄物を吸収する吸収体を備えた吸収性本体と、
前記吸収性本体の一端側及び他端側に位置する胴回り部と、を備え、
前記胴回り部は、前記二つのシートにより形成され、
前記二つの接合弾性部材は、前記胴回り部の前記縦方向における中央部に設けられ、
前記非接合弾性部材は、前記縦方向において前記二つの接合弾性部材の間に一つのみ設けられ、
前記二つの接合弾性部材とは異なる二つの他の接合弾性部材が、該二つの他の接合弾性部材の間に前記非接合弾性部材が配置されない状態で、前記胴回り部の前記縦方向における端部に設けられ、
前記中央部における前記接合弾性部材と前記非接合弾性部材の間隔は、前記端部における前記二つの他の接合弾性部材の間隔よりも短いことを特徴とする使い捨て着用物品。
【請求項１０】
縦方向と、前記縦方向と交差する横方向と、を有し、
二つのシートと、
前記二つのシートの間に挟まれ、かつ、前記横方向に沿った複数の弾性部材と、を備える使い捨て着用物品であって、
前記弾性部材として、
前記二つのシートのうちの少なくとも一方に前記シートの前記横方向における一端部から他端部に亘って接合された二つの接合弾性部材と、
前記縦方向において前記二つの接合弾性部材の間に設けられ、かつ、前記二つのシートのうちの少なくとも一方に前記一端部及び前記他端部において接合され、前記一端部と前記他端部との間に前記二つのシートのいずれにも接合しない非接合部を有する非接合弾性部材と、を有し、
前記非接合弾性部材は、第一非接合弾性部材であり、
前記一端部及び前記他端部において接合される一方で、前記一端部と前記他端部との間に前記非接合部を有する第二非接合弾性部材をさらに有し、
前記縦方向において前記第一非接合弾性部材と前記第二非接合弾性部材の間には、少なくとも一つの前記接合弾性部材が設けられていることを特徴とする使い捨て着用物品。
【発明の詳細な説明】
【技術分野】
【０００１】
本発明は、使い捨て着用物品に関する。
【背景技術】
【０００２】
従来、使い捨ておむつ等の使い捨て着用物品が広く用いられている。この使い捨て着用物品は、二つのシートと、当該二つのシートの間に挟まれ、かつ、横方向に沿った糸ゴム等の複数の弾性部材と、を備えている。
【先行技術文献】
【特許文献】
【０００３】
【特許文献１】特開２０１０−４６３２４号
【発明の概要】
【発明が解決しようとする課題】
【０００４】
使い捨て着用物品をユーザーが見た際に、使い捨て着用物品がずり落ちずしっかり身体にフィットするという印象をユーザーに持たせることが要請される。使い捨て着用物品がずり落ちる可能性があると思ったユーザーはこのことに対し不安な感情を抱くからである。【０００５】
一方で、使い捨て着用物品をユーザーが見た際に、当該使い捨て着用物品が柔らかいと言う印象をユーザーに持たせることも要請される。使い捨て着用物品は、身体に着用するものであるから、固い製品は敬遠されるからである。【０００６】
本発明は、上記のような問題に鑑みてなされたものであって、その目的とするところは、しっかり身体にフィットし、かつ、柔らかいという印象をユーザーに与えることができる使い捨て着用物品を実現することにある。
【課題を解決するための手段】
【０００７】
上記目的を達成するための主たる発明は、縦方向と、前記縦方向と交差する横方向と、を有し、
二つのシートと、
前記二つのシートの間に挟まれ、かつ、前記横方向に沿った複数の弾性部材と、を備える使い捨て着用物品であって、
前記弾性部材として、
前記二つのシートのうちの少なくとも一方に前記シートの前記横方向における一端部から他端部に亘って接合された二つの接合弾性部材と、
前記縦方向において前記二つの接合弾性部材の間に設けられ、かつ、前記二つのシートのうちの少なくとも一方に前記一端部及び前記他端部において接合され、前記一端部と前記他端部との間に前記二つのシートのいずれにも接合しない非接合部を有する非接合弾性部材と、を有し、
排泄物を吸収する吸収体を備えた吸収性本体と、
前記吸収性本体の一端側及び他端側に位置する胴回り部と、を備え、
前記胴回り部は、前記二つのシートにより形成され、
前記非接合弾性部材は、前記胴回り部の前記縦方向における両端部と中央部のうちの中央部のみに設けられていることを特徴とする使い捨て着用物品である。
【０００８】
本発明の他の特徴については、本明細書及び添付図面の記載により明らかにする。
【発明の効果】
【０００９】
本発明によれば、しっかり身体にフィットし、かつ、柔らかいという印象をユーザーに与えることができる使い捨て着用物品を実現することができる。
【図面の簡単な説明】
【００１０】
【図１】本実施の形態に係るおむつ１の斜視イメージ図である。
【図２】展開状態のおむつ１の平面図である。
【図３】おむつ１の断面図である。
【図４】糸ゴムの接合部分を表した平面図である。
【図５】本実施の形態に係るおむつ１の作用を説明するための説明図である。
【図６】はみ出し部分Ｂまで重畳糸ゴムが接合されていることによるメリットを説明するための説明図である。
【発明を実施するための形態】
【００１１】
本明細書及び添付図面の記載により、少なくとも以下の事項が明らかとなる。
【００１２】
縦方向と、前記縦方向と交差する横方向と、を有し、
二つのシートと、
前記二つのシートの間に挟まれ、かつ、前記横方向に沿った複数の弾性部材と、を備える使い捨て着用物品であって、
前記弾性部材として、
前記二つのシートのうちの少なくとも一方に前記シートの前記横方向における一端部から他端部に亘って接合された二つの接合弾性部材と、
前記縦方向において前記二つの接合弾性部材の間に設けられ、かつ、前記二つのシートのうちの少なくとも一方に前記一端部及び前記他端部において接合され、前記一端部と前記他端部との間に前記二つのシートのいずれにも接合しない非接合部を有する非接合弾性部材と、
を有することを特徴とする使い捨て着用物品。
【００１３】
このような使い捨て着用物品によれば、しっかり身体にフィットし、かつ、柔らかいという印象をユーザーに与えることができる。
【００１４】
かかる使い捨て着用物品であって、
排泄物を吸収する吸収体を備えた吸収性本体と、
前記吸収性本体の一端側及び他端側に位置する胴回り部と、を備え、
前記胴回り部は、前記二つのシートにより形成され、
前記非接合弾性部材は、前記胴回り部の前記縦方向における両端部と中央部のうちの中央部のみに設けられていることが望ましい。
【００１５】
このような使い捨て着用物品によれば、柔らかいという印象をユーザーに与えることができるとともに、より一層しっかり身体にフィットするという印象を与えることができる。
【００１６】
かかる使い捨て着用物品であって、
排泄物を吸収する吸収体を備えた吸収性本体と、
前記吸収性本体の一端側及び他端側に位置する胴回り部と、を備え、
前記胴回り部は、前記二つのシートにより形成され、
前記胴回り部は、他方の前記胴回り部と接合するための接合箇所を、前記横方向における前記胴回り部の両縁部に備えており、
前記非接合弾性部材は、前記接合箇所と、該接合箇所と隣接し該接合箇所の前記横方向における内側に位置する内側箇所と、において、前記二つのシートのうちの少なくとも一方に接合されていることが望ましい。
【００１７】
このような使い捨て着用物品によれば、非接合弾性部材の抜けを適切に押さえることが可能となる。
【００１８】
かかる使い捨て着用物品であって、
排泄物を吸収する吸収体を備えた吸収性本体と、
前記吸収性本体の一端側及び他端側に位置する胴回り部と、を備え、
前記胴回り部は、前記二つのシートにより形成され、かつ、前記吸収体と重なる吸収体重なり部を有し、
前記非接合弾性部材として、一部が前記吸収体重なり部上に配置されている重畳弾性部材を有し、
前記重畳弾性部材は、前記吸収体重なり部において、前記二つのシートのうちの少なくとも一方に接合されていることが望ましい。
【００１９】
このような使い捨て着用物品によれば、互いに接合された重畳弾性部材とシートとで、しっかり吸収体を押さえることができる。
【００２０】
かかる使い捨て着用物品であって、
前記重畳弾性部材は、前記吸収体重なり部から、前記吸収体重なり部の端を越えて該吸収体重なり部の前記横方向における外側まで、接合されていることが望ましい。
【００２１】
このような使い捨て着用物品によれば、重畳弾性部材が設計上の位置から動いてしまうことが適切に抑えられる。
【００２２】
かかる使い捨て着用物品であって、
排泄物を吸収する吸収体を備えた吸収性本体と、
前記吸収性本体の一端側及び他端側に位置する胴回り部と、を備え、
前記胴回り部は、前記二つのシートにより形成され、かつ、前記胴回り部の前記横方向における中央部に、前記吸収体と重なる吸収体重なり部を有し、
前記非接合弾性部材として、前記縦方向において前記胴回り部の上端部と前記吸収体重なり部との間に設けられた非重畳弾性部材を有し、
前記非重畳弾性部材は、
前記胴回り部の前記横方向における中央部に、前記非接合部を有することが望ましい。
【００２３】
このような使い捨て着用物品によれば、柔らかいという印象をより効果的にユーザーに与えることができる。
【００２４】
かかる使い捨て着用物品であって、
前記吸収性本体の一端側に位置する胴回り部は背側胴回り部であり、他端側に位置する胴回り部は腹側胴回り部であり、
前記背側胴回り部における前記吸収体重なり部の上端から前記背側胴回り部の上端までの距離は、前記腹側胴回り部における前記吸収体重なり部の上端から前記腹側胴回り部の上端までの距離よりも大きく、
前記背側胴回り部に設けられた前記非重畳弾性部材の数は、前記腹側胴回り部に設けられた前記非重畳弾性部材の数よりも多いことが望ましい。
【００２５】
このような使い捨て着用物品によれば、使い捨て着用物品のどちらが前（腹側）でどちらが後（背側）かを容易に判断することが可能となる。
【００２６】
かかる使い捨て着用物品であって、
前記非接合弾性部材として、
前記一端部及び前記他端部において接合され、前記一端部と前記他端部との間においては前記シートの前記横方向における中央部に一箇所の非接合部を有する中央非接合弾性部材と、
前記一端部及び前記他端部において接合され、かつ、前記一端部と前記他端部との間においては前記中央部においても接合され、前記一端部と前記中央部との間と前記他端部と前記中央部との間とに二箇所の非接合部を有する分割非接合弾性部材と、を有し、
前記分割非接合弾性部材の前記非接合部の長さは、前記中央非接合弾性部材の前記非接合部の長さよりも短いことが望ましい。
【００２７】
このような使い捨て着用物品によれば、弾性部材の接合を強化しつつ、柔らかいという印象をユーザーに与えることができる。
【００２８】
かかる使い捨て着用物品であって、
排泄物を吸収する吸収体を備えた吸収性本体と、前記吸収性本体の一端側に位置する背側胴回り部と、前記吸収性本体の他端側に位置する腹側胴回り部と、を備え、
前記背側胴回り部及び前記腹側胴回り部は、前記二つのシートにより形成され、
前記非接合弾性部材として、
前記一端部及び前記他端部において接合され、前記一端部と前記他端部との間においては前記シートの前記横方向における中央部に一箇所の非接合部を有する中央非接合弾性部材と、
前記一端部及び前記他端部において接合され、かつ、前記一端部と前記他端部との間においては前記中央部においても接合され、前記一端部と前記中央部との間と前記他端部と前記中央部との間とに二箇所の非接合部を有する分割非接合弾性部材と、を有し、
前記背側胴回り部に設けられた前記中央非接合弾性部材の前記非接合部の長さは、前記腹側胴回り部に設けられた前記中央非接合弾性部材の前記非接合部の長さと異なり、
前記背側胴回り部に設けられた前記分割非接合弾性部材の前記非接合部の長さは、前記腹側胴回り部に設けられた前記分割非接合弾性部材の前記非接合部の長さと異なることが望ましい。
【００２９】
このような使い捨て着用物品によれば、使い捨て着用物品のどちらが前（腹側）でどちらが後（背側）かを容易に判断することが可能となる。
【００３０】
かかる使い捨て着用物品であって、
排泄物を吸収する吸収体を備えた吸収性本体と、
前記吸収性本体の一端側及び他端側に位置する胴回り部と、を備え、
前記胴回り部は、前記二つのシートにより形成され、
前記二つの接合弾性部材は、前記胴回り部の前記縦方向における中央部に設けられ、
前記非接合弾性部材は、前記縦方向において前記二つの接合弾性部材の間に一つのみ設けられ、
前記二つの接合弾性部材とは異なる二つの他の接合弾性部材が、該二つの他の接合弾性部材の間に前記非接合弾性部材が配置されない状態で、前記胴回り部の前記縦方向における端部に設けられ、
前記中央部における前記接合弾性部材と前記非接合弾性部材の間隔は、前記端部における前記二つの他の接合弾性部材の間隔よりも短いことが望ましい。
【００３１】
このような使い捨て着用物品によれば、接合弾性部材間の間隔が広くなりすぎるのを防止することが可能となる。
【００３２】
かかる使い捨て着用物品であって、
前記非接合弾性部材は、第一非接合弾性部材であり、
前記一端部及び前記他端部において接合される一方で、前記一端部と前記他端部との間に前記非接合部を有する第二非接合弾性部材をさらに有し、
前記縦方向において前記第一非接合弾性部材と前記第二非接合弾性部材の間には、少なくとも一つの前記接合弾性部材が設けられていることが望ましい。
【００３３】
このような使い捨て着用物品によれば、非接合糸弾性部材の非接合部が縦方向にずれる事象を適切に抑えることが可能となる。
【００３４】
＝＝＝本実施の形態に係る使い捨ておむつについて＝＝＝
図１は、本実施の形態に係る使い捨て着用物品の一例としての使い捨ておむつ（以下、単に、おむつ１と呼ぶ）の斜視イメージ図である。図２は、展開状態のおむつ１の平面図である。図３は、おむつ１の断面図である。
【００３５】
本実施の形態に係るおむつ１は、所謂パンツ型おむつである。以下の説明では、おむつ１の縦方向、おむつ１の横方向のことを、それぞれ単に「縦方向」、「横方向」と言う。また、縦方向及び横方向と交差する方向を「厚み方向」とし、着用者の肌の側を「肌側」とし、その逆側を「非肌側」とする。また、図１において、縦方向における胴周り開口１ａ側を「上側」、その反対側を「下側」と呼ぶ。
【００３６】
本実施の形態に係るおむつ１は、互いに交差（直交）する二方向として縦方向と横方向とを有している。また、おむつ１は、所謂３ピースタイプであり、３つの部品を有している。すなわち、このおむつ１は、第１部品として、着用者の股間部にあてがわれ尿等の排泄物を吸収する吸収体１１を備えた吸収性本体１０を有している。
【００３７】
また、おむつ１は、吸収性本体１０の一端側及び他端側に位置する胴回り部を有している。すなわち、おむつ１は、第２部品として、吸収性本体１０の一端側に位置し、着用者の背側部を覆う背側胴回り部３０を、第３部品として、吸収性本体１０の他端側に位置し、着用者の腹側部を覆う腹側胴回り部４０を有している。
【００３８】
図２の展開状態では、背側胴回り部３０と腹側胴回り部４０とが互いに縦方向に間隔をあけて平行に並んだ状態で、これらの間に吸収性本体１０が掛け渡されている。そして、吸収性本体１０の一端部１０ａに背側胴回り部３０が、他端部１０ｂに腹側胴回り部４０が、吸収性本体１０の方が胴回り部よりも厚み方向において肌側に位置するように固定されており、その外観形状は平面視略Ｈ形状をなしている。換言すれば、吸収性本体１０の一端側に背側胴回り部３０が位置し、吸収性本体１０の他端側に腹側胴回り部４０が位置している。
【００３９】
そして、この状態から、吸収性本体１０が、その長手方向（つまり、縦方向）におけるおむつ１の真ん中（展開状態のおむつ１の縦方向における一端と他端の真ん中）の位置を折り位置として二つ折りされる。この二つ折りの状態において互いに対向する背側胴回り部３０と腹側胴回り部４０とが、接合・連結されると、これら胴回り部同士が環状に成形される。つまり、胴回り部は、他方の胴回り部と接合するための接合箇所を横方向における胴回り部の両縁部に備えており（この接合箇所を、背側両縁部３０ａ及び腹側両縁部４０ａと呼ぶ）、おむつ１は、背側両縁部３０ａと腹側両縁部４０ａが連結（接合）されて形成されている。これにより、図１に示すような胴周り開口１ａ及び一対の脚周り開口１ｂが形成された着用状態のおむつ１となる。
【００４０】
吸収性本体１０は、着用者の股間（股下）に対応し、尿等の排泄物を吸収するためのものである。この吸収性本体１０は、図２に示すように、平面視長方形状を有しており、長手方向（長辺方向）が縦方向に沿うように設けられている。
【００４１】
吸収性本体１０には、吸収体１１が設けられている。この吸収体１１は、液体吸収性素材を積層してなる部材（吸収性コア）であり、尿等の排泄物を吸収することができる。吸収体１１は、パルプ（パルプ繊維）と吸収性ポリマー（ＳＡＰ）とを有している。
【００４２】
吸収体１１は、縦方向の中央部における幅が狭くなるような砂時計形状を有する。但し、吸収体１１の形状は、図２に示す形状に限定されず、単純な長方形であっても良い。
【００４３】
吸収体１１は、図３に示すように、液透過性シート（不織布）からなるコアラップ２６に包まれ、厚み方向においてトップシート部材２４とバックシート部材２５に挟まれて配置されている。なお、トップシート部材２４は、不織布製の液透過性シートであり、バックシート部材２５は、ポリエチレン又はポリプロピレン製の液不透過性の防漏シート２５ａと不織布製の液透過性の外装シート２５ｂとからなる二層構造のシートである。
【００４４】
腹側胴回り部４０は、着用者の腹部に対応するシート状部材である。この腹側胴回り部４０は、平面視長方形状を有しており、長手方向（長辺方向）が横方向に沿うように設けられている。この腹側胴回り部４０は、図３に示すように、不織布製の二つのシート（便宜上、胴回り部シート２８とする。肌側のシートはサイドトップ２８ａ、非肌側のシートはアウターバック２８ｂと呼ばれている）により形成されている。
【００４５】
腹側胴回り部４０は、吸収性本体１０の他端部１０ｂに重ねられ、接合固定されている。腹側胴回り部４０の、吸収性本体１０に重ねられた部分は、横方向における腹側胴回り部４０の中央部に設けられている。
【００４６】
さらには、腹側胴回り部４０は、吸収性本体１０に設けられた吸収体１１と重なっている。つまり、腹側胴回り部４０は、吸収体１１と重なる吸収体重なり部４１を有しており、当該吸収体重なり部４１は腹側胴回り部４０の横方向における中央部に位置している。
【００４７】
また、腹側胴回り部４０には、横方向に沿った弾性部材（具体的には、糸ゴム。便宜上、腹側糸ゴム７０と呼ぶ）が、縦方向に複数（１５本）並ぶように配置されている。そして、このことにより、腹側胴回り部４０には、横方向の伸縮性が付与され、おむつ１の胴周り開口１ａに伸縮性を与えている。腹側糸ゴム７０は、二つの胴回り部シート２８の間に挟まれている。つまり、厚み方向においてサイドトップ２８ａとアウターバック２８ｂの間に位置している。以下、１５本の腹側糸ゴム７０の各々について説明する。なお、以下では、１５本の腹側糸ゴム７０を、縦方向における上側から順に、第一腹側糸ゴム７１乃至第十五腹側糸ゴム８５と呼ぶ。
【００４８】
図２に示すように、腹側糸ゴム７０は、どの糸ゴムも、腹側胴回り部４０（胴回り部シート２８）の横方向における一端部（具体的には、前述した腹側両縁部４０ａよりもさらに外側の位置）から他端部（同様に、腹側両縁部４０ａよりもさらに外側の位置）に亘って設けられている。本実施の形態においては、腹側糸ゴム７０が、腹側両縁部４０ａを超えて、腹側胴回り部４０の最も外側の端まで至っている。
【００４９】
そして、第一腹側糸ゴム７１乃至第五腹側糸ゴム７５については、糸ゴムが前記一端部から前記他端部に亘って連続的に設けられている。
【００５０】
一方、第六腹側糸ゴム７６乃至第十五腹側糸ゴム８５については、糸ゴムが、横方向における腹側胴回り部４０の中央部に不連続部分（図２において、点線で示した部分）を備えている。つまり、この不連続部分においては、糸ゴムが細かく切断されており、その伸縮性が弱められている（弱伸縮域となっている）。なお、このような糸ゴムが細かく切断された不連続部分（弱伸縮域）の代わりに、糸ゴムに接着剤を塗らず糸ゴムを切断することで糸ゴムを吸収体側部までカットバックさせる方法で弱伸縮域を形成してもよい（かかる場合には、糸ゴムの切れ端が残らないので見栄えがよい）。
【００５１】
また、図２に示すように、第七腹側糸ゴム７７乃至第十五腹側糸ゴム８５については、糸ゴムの一部（横方向における中央部）が前述した吸収体重なり部４１上に配置されている。すなわち、これらの糸ゴムは、吸収体１１と重なっている。第六腹側糸ゴム７６乃至第十五腹側糸ゴム８５が不連続部分（弱伸縮域）を前記中央部に備えている理由は、吸収体１１を収縮させすぎないようにして、吸収体１１がよれてしまって人体と密着せず本来持っている吸収性能が発揮されないという事態の発生を防止するためである。
【００５２】
一方、第一腹側糸ゴム７１乃至第六腹側糸ゴム７６については、吸収体重なり部４１上には配置されていない（吸収体１１とは重なっていない）。
【００５３】
また、腹側糸ゴム７０は、二つの胴回り部シート２８のうちの少なくとも一方（本実施の形態においては、双方）に接着剤により接合されている。
【００５４】
ここで、図４に着目する。図４は、図２に対応した図であり、糸ゴムの接合部分を表した平面図である。図４においては、糸ゴムが胴回り部シート２８に接合されている部分（接合部）を実線で示し、接合されていない部分（非接合部）を白線（つまり、線が存在しない）で示している。図４から明らかなように、本実施の形態においては、二つの胴回り部シート２８のうちの少なくとも一方（本実施の形態においては、双方）に胴回り部シート２８の横方向における一端部から他端部に亘って接合された糸ゴム（接合糸ゴムと呼ぶ）と、二つの胴回り部シート２８のうちの少なくとも一方（本実施の形態においては、双方）に前記一端部及び前記他端部において接合され、一端部と他端部との間に二つの胴回り部シート２８のいずれにも接合しない非接合部（図４の白線部）を有する糸ゴム（このような非接合部を有する糸ゴムを非接合糸ゴムと呼ぶ）と、が設けられている。
【００５５】
第一腹側糸ゴム７１と第二腹側糸ゴム７２は、腹側胴回り部４０の縦方向における上側の端部（以下、上端部とする）に設けられた接合糸ゴムである。第十二腹側糸ゴム８２、第十三腹側糸ゴム８３、第十四腹側糸ゴム８４、第十五腹側糸ゴム８５は、腹側胴回り部４０の縦方向における下側の端部（以下、下端部とする）に設けられた接合糸ゴムである。また、第六腹側糸ゴム７６、第八腹側糸ゴム７８、第十腹側糸ゴム８０は、腹側胴回り部４０の縦方向における中央部に設けられた接合糸ゴムである。
【００５６】
これらの糸ゴムは、腹側胴回り部４０（胴回り部シート２８）の横方向における一端部から他端部に亘って胴回り部シート２８に接合されている。本実施の形態においては、これらの糸ゴムの全体が、胴回り部シート２８に接合されている。
【００５７】
一方で、残りの糸ゴム、すなわち、第三腹側糸ゴム７３、第四腹側糸ゴム７４、第五腹側糸ゴム７５、第七腹側糸ゴム７７、第九腹側糸ゴム７９、第十一腹側糸ゴム８１は、非接合糸ゴムである。
【００５８】
図４から明らかなように、第三腹側糸ゴム７３、第五腹側糸ゴム７５、第七腹側糸ゴム７７、第九腹側糸ゴム７９、第十一腹側糸ゴム８１の非接合部の位置（換言すれば、接合部の位置）は共通している。つまり、これらの糸ゴムは、腹側胴回り部４０（胴回り部シート２８）の横方向における一端部（図４に示すように、最外端から内側へ３０ｍｍまでの部分）と他端部（図４に示すように、最外端から内側へ３０ｍｍまでの部分）で胴回り部シート２８に接合され、さらに、腹側胴回り部４０（胴回り部シート２８）の横方向における中央部（図４に示すように、腹側胴回り部４０の真ん中から横方向へ左右６５ｍｍまでの部分。合計で１３０ｍｍ分）で胴回り部シート２８に接合されている。そして、残りの部分、つまり、前記一端部と前記中央部の間と前記他端部と前記中央部との間に非接合部が位置している。本実施の形態においては、腹側胴回り部４０の横方向における長さが３４０ｍｍなので、当該非接合部の長さは、それぞれ７５ｍｍ（＝（３４０−１３０−３０×２）／２）となっている。
【００５９】
一方で、第四腹側糸ゴム７４は、腹側胴回り部４０（胴回り部シート２８）の横方向における中央部（図４に示すように、腹側胴回り部４０の真ん中から横方向へ左右５０ｍｍまでの部分。合計で１００ｍｍ分）のみが非接合部となっており、他の部分（非接合部の横方向における両側）が接合されている。接合部の長さは、それぞれ１２０ｍｍとなっている。
【００６０】
背側胴回り部３０は、着用者の背部に対応するシート状部材である。この背側胴回り部３０は、平面視長方形状を有しており、長手方向（長辺方向）が横方向に沿うように設けられている。この背側胴回り部３０は、腹側胴回り部４０と同様、図３に示すように、不織布製の二つの胴回り部シート２８（サイドトップ２８ａとアウターバック２８ｂ）により形成されている。
【００６１】
背側胴回り部３０は、吸収性本体１０の一端部１０ａに重ねられ、接合固定されている。背側胴回り部３０の、吸収性本体１０に重ねられた部分は、横方向における背側胴回り部３０の中央部に設けられている。
【００６２】
さらには、背側胴回り部３０は、吸収性本体１０に設けられた吸収体１１と重なっている。つまり、背側胴回り部３０は、吸収体１１と重なる吸収体重なり部３１を有しており、当該吸収体重なり部３１は背側胴回り部３０の横方向における中央部に位置している。
【００６３】
また、背側胴回り部３０には、横方向に沿った弾性部材（具体的には、糸ゴム。便宜上、背側糸ゴム５０と呼ぶ）が、縦方向に複数（１５本）並ぶように配置されている。そして、このことにより、背側胴回り部３０には、横方向の伸縮性が付与され、おむつ１の胴周り開口１ａに伸縮性を与えている。背側糸ゴム５０は、二つの胴回り部シート２８の間に挟まれている。つまり、厚み方向においてサイドトップ２８ａとアウターバック２８ｂの間に位置している。以下、１５本の背側糸ゴム５０の各々について説明する。なお、以下では、１５本の背側糸ゴム５０を、縦方向における上側から順に、第一背側糸ゴム５１乃至第十五背側糸ゴム６５と呼ぶ。
【００６４】
図２に示すように、背側糸ゴム５０は、腹側糸ゴム７０と同様、どの糸ゴムも、背側胴回り部３０（胴回り部シート２８）の横方向における一端部（具体的には、前述した背側両縁部３０ａよりもさらに外側の位置）から他端部（同様に、背側両縁部３０ａよりもさらに外側の位置）に亘って設けられている。本実施の形態においては、背側糸ゴム５０が、背側両縁部３０ａを超えて、背側胴回り部３０の最も外側の端まで至っている。
【００６５】
そして、第一背側糸ゴム５１乃至第九背側糸ゴム５９については、糸ゴムが前記一端部から前記他端部に亘って連続的に設けられている。
【００６６】
一方、第十背側糸ゴム６０乃至第十五背側糸ゴム６５については、糸ゴムが、横方向における背側胴回り部３０の中央部に不連続部分（図２において、点線で示した部分）を備えている。つまり、この不連続部分においては、糸ゴムが細かく切断されており、その伸縮性が弱められている（弱伸縮域となっている）。
【００６７】
また、図２に示すように、第十二背側糸ゴム６２乃至第十五背側糸ゴム６５については、糸ゴムの一部（横方向における中央部）が前述した吸収体重なり部３１上に配置されている。すなわち、これらの糸ゴムは、吸収体１１と重なっている。第十背側糸ゴム６０乃至第十五背側糸ゴム６５が不連続部分（弱伸縮域）を前記中央部に備えている理由は、吸収体１１を収縮させすぎないようにするためである。
【００６８】
一方、第一背側糸ゴム５１乃至第十一背側糸ゴム６１については、吸収体重なり部３１上には配置されていない（吸収体１１とは重なっていない）。
【００６９】
また、背側糸ゴム５０は、二つの胴回り部シート２８のうちの少なくとも一方（本実施の形態においては、双方）に接着剤により接合されているが、本実施の形態においては、腹側糸ゴム７０と同様、背側糸ゴム５０として前記接合糸ゴム及び前記非接合糸ゴムが設けられている。
【００７０】
第一背側糸ゴム５１と第二背側糸ゴム５２は、背側胴回り部３０の縦方向における上端部に設けられた接合糸ゴムである。第十二背側糸ゴム６２、第十三背側糸ゴム６３、第十四背側糸ゴム６４、第十五背側糸ゴム６５は、背側胴回り部３０の縦方向における下端部に設けられた接合糸ゴムである。また、第十背側糸ゴム６０は、背側胴回り部３０の縦方向における中央部に設けられた接合糸ゴムである。
【００７１】
これらの糸ゴムは、背側胴回り部３０（胴回り部シート２８）の横方向における一端部から他端部に亘って胴回り部シート２８に接合されている。本実施の形態においては、これらの糸ゴムの全体が、胴回り部シート２８に接合されている。
【００７２】
一方で、残りの糸ゴム、すなわち、第三背側糸ゴム５３、第四背側糸ゴム５４、第五背側糸ゴム５５、第六背側糸ゴム５６、第七背側糸ゴム５７、第八背側糸ゴム５８、第九背側糸ゴム５９、第十一背側糸ゴム６１は、非接合糸ゴムである。
【００７３】
図４から明らかなように、第三背側糸ゴム５３、第五背側糸ゴム５５、第七背側糸ゴム５７、第九背側糸ゴム５９、第十一背側糸ゴム６１の非接合部の位置（換言すれば、接合部の位置）は共通している。つまり、これらの糸ゴムは、背側胴回り部３０（胴回り部シート２８）の横方向における一端部（図４に示すように、最外端から内側へ３０ｍｍまでの部分）と他端部（図４に示すように、最外端から内側へ３０ｍｍまでの部分）で胴回り部シート２８に接合され、さらに、背側胴回り部３０（胴回り部シート２８）の横方向における中央部（図４に示すように、背側胴回り部３０の真ん中から横方向へ左右７５ｍｍまでの部分。合計で１５０ｍｍ分）で胴回り部シート２８に接合されている。そして、残りの部分、つまり、前記一端部と前記中央部の間と前記他端部と前記中央部との間に非接合部が位置している。本実施の形態においては、背側胴回り部３０の横方向における長さが３４０ｍｍなので、当該非接合部の長さは、それぞれ６５ｍｍ（＝（３４０−１５０−３０×２）／２）となっている。
【００７４】
一方で、第四背側糸ゴム５４、第六背側糸ゴム５６、第八背側糸ゴム５８の非接合部の位置（換言すれば、接合部の位置）は共通している。つまり、これらの糸ゴムは、背側胴回り部３０（胴回り部シート２８）の横方向における中央部（図４に示すように、背側胴回り部３０の真ん中から横方向へ左右６０ｍｍまでの部分。合計で１２０ｍｍ分）のみが非接合部となっており、他の部分（非接合部の横方向における両側）が接合されている。接合部の長さは、それぞれ１１０ｍｍとなっている。
【００７５】
上述したとおり、本実施の形態においては、弾性部材（糸ゴム）として、二つの胴回り部シート２８のうちの少なくとも一方（本実施の形態においては、双方）に胴回り部シート２８の横方向における一端部から他端部に亘って接合された接合弾性部材（接合糸ゴム）と、二つの胴回り部シート２８のうちの少なくとも一方（本実施の形態においては、双方）に前記一端部及び前記他端部において接合され、前記一端部と前記他端部との間に二つの胴回り部シート２８のいずれにも接合しない非接合部を有する非接合弾性部材（非接合糸ゴム）と、を有している。そして、縦方向において二つの接合糸ゴムの間に非接合糸ゴムが設けられている。腹側胴回り部４０に関して一例を挙げると、接合糸ゴムである第二腹側糸ゴム７２と第六腹側糸ゴム７６との間に、非接合糸ゴムである第三腹側糸ゴム７３乃至第五腹側糸ゴム７５が設けられている。また、背側胴回り部３０に関して一例を挙げると、接合糸ゴムである第十背側糸ゴム６０と第十二背側糸ゴム６２との間に、非接合糸ゴムである第十一背側糸ゴム６１が設けられている。
【００７６】
従来のおむつ１において、前記非接合糸ゴムを縦方向に並べたものがあった。しかしながら、かかるおむつ１には、一端部から他端部に亘って接合された接合糸ゴムがないため、おむつ１をユーザーが見た際に、おむつ１がずり落ちてしまうのではないかという感情（不安な感情）をユーザーに抱かせる場合があった。
【００７７】
一方で、当然のことながら、従来のおむつ１において、接合糸ゴムを縦方向に並べたものもあった。しかしながら、一端部から他端部に亘って接合された接合糸ゴムが縦方向に密に並ぶこととなるため、おむつ１が固いという印象をユーザーに持たせることとなり、当該おむつ１がユーザーに敬遠される可能性が生じていた。
【００７８】
これに対し、本実施の形態に係るおむつ１は、双方の課題を一気に解決できるものとなっている。すなわち、本実施の形態に係るおむつ１は、縦方向において二つの接合糸ゴムの間に非接合糸ゴムが設けられている構成を有している。そのため、一端部から他端部に亘って接合された接合糸ゴムをユーザーが見た際には、この糸ゴムが一端部から他端部に亘って存在することがユーザーにより確実に理解されるため、おむつ１がずり落ちずしっかり身体にフィットするという印象をユーザーに持たせることができる。
【００７９】
一方で、二つの接合糸ゴムの間に非接合糸ゴムが設けられているため、おむつ１が着用された際には、これらの糸ゴムと二つの胴回り部シート２８（サイドトップ２８ａとアウターバック２８ｂ）の位置関係が図５に示すような形態となる。すなわち、二つの接合糸ゴムの間に位置する非接合糸ゴム（具体的には、その非接合部）が肌側へ寄ることとなり、当該非接合糸ゴム（非接合部）がユーザーにより視認されにくくなる。そのため、糸ゴムが例え縦方向に密に並んでいる場合であっても、二つの接合糸ゴムの間の非接合糸ゴムが視認されにくい状態を作ることができるため、おむつ１が固いという印象をユーザーに抱かせることを回避することが可能となる。
【００８０】
このように、本実施の形態に係るおむつ１によれば、しっかり身体にフィットし、かつ、柔らかいという印象をユーザーに与えることができる。
【００８１】
さらには、二つの接合糸ゴムの間に非接合糸ゴムが設けられているため、接合糸ゴムを縦方向に並べたものに比べて、実際にユーザーが触れた際にはユーザーに柔らかい感触を与えることができる（接着剤等のごわごわした感触が少なくなっている）。
【００８２】
また、本実施の形態において、非接合糸ゴムは、胴回り部の縦方向における両端部と中央部のうちの中央部のみに設けられている。腹側胴回り部４０に関して言えば、両端部に設けられた第一腹側糸ゴム７１及び第二腹側糸ゴム７２と、第十二腹側糸ゴム８２乃至第十五腹側糸ゴム８５はいずれも接合糸ゴムであり、非接合糸ゴム（第三腹側糸ゴム７３、第四腹側糸ゴム７４、第五腹側糸ゴム７５、第七腹側糸ゴム７７、第九腹側糸ゴム７９、第十一腹側糸ゴム８１）は、中央部にしか設けられていない。また、背側胴回り部３０に関して言えば、両端部に設けられた第一背側糸ゴム５１と第二背側糸ゴム５２と、第十二背側糸ゴム６２乃至第十五背側糸ゴム６５はいずれも接合糸ゴムであり、非接合糸ゴム（第三背側糸ゴム５３乃至第九背側糸ゴム５９と第十一背側糸ゴム６１）は、中央部にしか設けられていない。
【００８３】
前述したとおり、一端部から他端部に亘って接合された接合糸ゴムをユーザーが見た際には、この糸ゴムが一端部から他端部に亘って存在することがユーザーにより確実に理解されるため、おむつ１がずり落ちずしっかり身体にフィットするという印象をユーザーに持たせることができる。一方で、ユーザーは、胴回り部の縦方向における両端部の糸ゴムが一端部から他端部に亘って存在することを理解した際に、より（つまり、中央部の糸ゴムが一端部から他端部に亘って存在することを理解したときと比べてより一層）おむつ１がずり落ちずしっかり身体にフィットするという印象を抱くこととなる。したがって、本実施の形態によれば、おむつ１が柔らかいという印象をユーザーに与えることができるとともに、より一層おむつ１がしっかり身体にフィットするという印象を与えることが可能となる。
【００８４】
また、本実施の形態において、非接合糸ゴムは、接合箇所（つまり、腹側両縁部４０ａや背側両縁部３０ａ）と、腹側両縁部４０ａ（背側両縁部３０ａ）と隣接し当該腹側両縁部４０ａ（背側両縁部３０ａ）の横方向における内側に位置する内側箇所（図４において符号Ａで示す）と、において、胴回り部シート２８のうちの少なくとも一方（本実施の形態においては、双方）に接合されている。
【００８５】
前述した通り、非接合糸ゴムを二つの接合糸ゴムの間に設けることにより、おむつ１が柔らかい印象をユーザーに与えることができるが、非接合糸ゴムの非接合部が腹側両縁部４０ａ（背側両縁部３０ａ）まで達してしまうと、横方向の端部における非接合糸ゴムの接合が不十分なものとなり、糸ゴムが抜けてしまう可能性が生じ得る。これに対し、本実施の形態においては、腹側両縁部４０ａ（背側両縁部３０ａ）でなく、腹側両縁部４０ａ（背側両縁部３０ａ）と隣接し当該腹側両縁部４０ａ（背側両縁部３０ａ）の横方向における内側に位置する内側箇所も接合されているので、糸ゴムの抜けを適切に押さえることが可能となる。なお、本実施の形態においては、おむつ１に設けられた全ての非接合糸ゴムがこのような構成を備えているので、より効果的なものとなっている。
【００８６】
また、本実施の形態においては、前述したとおり、非接合糸ゴムとして、一部が吸収体重なり部４１上に配置されている糸ゴムが備えられている。このような非接合糸ゴムを、便宜上、重畳糸ゴム（重畳弾性部材に対応）と呼ぶ。当該重畳糸ゴムは、本実施の形態においては、第七腹側糸ゴム７７、第九腹側糸ゴム７９、第十一腹側糸ゴム８１である。そして、これらの重畳糸ゴムは、吸収体重なり部４１において、胴回り部シート２８のうちの少なくとも一方（本実施の形態においては、双方）に接合されている。
【００８７】
吸収体１１は、おむつ１を着用した際に、肌側から非肌側へ向かう方向に突出する（飛び出す）状態となり得る。本実施の形態においては、重畳糸ゴムが、吸収体重なり部４１において胴回り部シート２８に接合されているので、互いに接合された重畳糸ゴムと胴回り部シート２８とで、突出しようとする吸収体１１をしっかり押さえることができる。なお、本実施の形態においては、おむつ１に設けられた全ての重畳糸ゴム（第七腹側糸ゴム７７、第九腹側糸ゴム７９、第十一腹側糸ゴム８１）がこのような構成を備えているので、より効果的なものとなっている。
【００８８】
また、重畳糸ゴム（第七腹側糸ゴム７７、第九腹側糸ゴム７９、第十一腹側糸ゴム８１）は、吸収体重なり部４１から、吸収体重なり部４１の端４１ａを越えて吸収体重なり部４１の横方向における外側まで、接合されている（図４において、該当箇所を符号Ｂで示す）。つまり、重畳糸ゴムは、吸収体重なり部４１に留まらず、吸収体重なり部４１（吸収体１１）からはみ出した部分（便宜上、はみ出し部分Ｂと呼ぶ）まで接合されている。
【００８９】
図６は、はみ出し部分Ｂまで重畳糸ゴムが接合されていることによるメリットを説明するための説明図である。
【００９０】
おむつ１を製造する際に糸ゴムを胴回り部シート２８に取り付ける場合には、糸ゴムが伸長している伸長状態で取り付ける。そして、糸ゴムが取り付けられた際には、糸ゴムが若干収縮し元に戻ることとなる（ただし、伸張倍率１倍には戻らない）。ここで、糸ゴムの収縮後の伸長倍率について吸収体重なり部４１上に配置されている重なり部分とはみ出し部分Ｂとを比較すると、吸収体１１の剛性が高いことに起因して、重なり部の伸長倍率の方がはみ出し部分Ｂの伸長倍率よりも大きくなる（図６の下図参照。つまり、重なり部の方がはみ出し部分Ｂよりも糸ゴムが元に戻りにくい）。
【００９１】
そのため、図６の上図のように、仮に、はみ出し部分Ｂを設けない場合には、伸長倍率の大きい糸ゴム（つまり、応力の大きい糸ゴム）により接合が外れ、糸ゴムが設計上の位置から動いてしまう可能性がある。これに対し、図６の下図のように、はみ出し部分Ｂを設けた場合には、伸長倍率の小さい糸ゴムによる接合の外れは起きにくいため、糸ゴムが設計上の位置から動いてしまうことが適切に抑えられることとなる。なお、本実施の形態においては、おむつ１に設けられた全ての重畳糸ゴム（第七腹側糸ゴム７７、第九腹側糸ゴム７９、第十一腹側糸ゴム８１）がこのような構成を備えているので、より効果的なものとなっている。
【００９２】
また、本実施の形態においては、図４に示すように、非接合糸ゴムとして、縦方向において胴回り部の前記上端部と吸収体重なり部４１（吸収体重なり部３１）との間に設けられ、胴回り部の横方向における中央部に非接合部を有する糸ゴムを備えている。このような非接合糸ゴムを、便宜上、非重畳糸ゴム（非重畳弾性部材に対応）と呼ぶ。腹側胴回り部４０に関しては、非重畳糸ゴムは第四腹側糸ゴム７４である。また、背側胴回り部３０に関しては、非重畳糸ゴムは、第四背側糸ゴム５４、第六背側糸ゴム５６、第八背側糸ゴム５８である。
【００９３】
これらの非重畳糸ゴムは、縦方向において吸収体１１の上側（上方）、換言すれば、吸収体１１の縦方向における上端１１ａの上側（上方）に位置している。ユーザーがおむつ１を見た際に、当該上端１１ａ、つまり、吸収体１１の角部が目に入ると、おむつ１が固いという印象をユーザーが持つこととなる。そのため、この印象を緩和するために、本実施の形態においては、前記非重畳糸ゴム（胴回り部）の横方向における中央部に非接合部を設けている。このような構成により、おむつ１が柔らかいという印象をより効果的にユーザーに与えることができる。
【００９４】
また、本実施の形態においては、背側胴回り部３０における吸収体重なり部３１の上端３１ａから背側胴回り部３０の上端３０ｂまでの距離は、腹側胴回り部４０における吸収体重なり部４１の上端４１ｂから腹側胴回り部４０の上端４０ｂまでの距離よりも大きくなっている。そして、その大きさの差異に応じて、背側胴回り部３０に設けられた前記非重畳糸ゴムの数を、腹側胴回り部４０に設けられた前記非重畳糸ゴムの数よりも多くしている。つまり、前述したとおり、背側胴回り部３０の非重畳糸ゴムが３本であるのに対し、腹側胴回り部４０の非重畳糸ゴムは１本となっている。
【００９５】
このような構成により、おむつ１が柔らかいという印象を与える部分の範囲が背側胴回り部３０と腹側胴回り部４０との間で異なることになる。背側胴回り部３０と腹側胴回り部４０の双方で当該範囲を同じにし、出来るだけ広い当該範囲が採れるようにするという考え方もあるが、本実施の形態においては、おむつ１の前後判断を重視してかかる構成としている。すなわち、本実施の形態によれば、おむつ１が柔らかいという印象を与える部分の範囲が背側胴回り部３０と腹側胴回り部４０との間で異なるため、おむつ１のどちらが前（腹側）でどちらが後（背側）かを容易に判断することが可能となる。
【００９６】
また、本実施の形態においては、図４に示すように、非接合糸ゴムとして、前記一端部及び前記他端部において接合され、前記一端部と前記他端部との間においては胴回り部シート２８の横方向における中央部に一箇所の非接合部を有する糸ゴム（便宜上、中央非接合糸ゴムと呼ぶ）と、前記一端部及び前記他端部において接合され、かつ、前記一端部と前記他端部との間においては前記中央部においても接合され、前記一端部と前記中央部との間と前記他端部と前記中央部との間とに二箇所の非接合部を有する糸ゴム（便宜上、分割非接合糸ゴムと呼ぶ）と、を有している。腹側胴回り部４０に関して一例を挙げると、第四腹側糸ゴム７４が中央非接合糸ゴムであり、第五腹側糸ゴム７５が分割非接合糸ゴムである。また、背側胴回り部３０に関して一例を挙げると、第六背側糸ゴム５６が中央非接合糸ゴムであり、第七背側糸ゴム５７が分割非接合糸ゴムである。そして、分割非接合糸ゴムの非接合部の長さ（つまり、一箇所分の長さ）は、中央非接合糸ゴムの非接合部の長さよりも短くなっている。具体的には、図４に示すように、背側胴回り部３０において、分割非接合糸ゴムの非接合部の長さが６５ｍｍに対し、中央非接合糸ゴムの非接合部の長さが１２０ｍｍとなっている。また、腹側胴回り部４０において、分割非接合糸ゴムの非接合部の長さが７５ｍｍに対し、中央非接合糸ゴムの非接合部の長さが１００ｍｍとなっている。
【００９７】
前述したとおり、非接合部を設けることにより、ユーザーにおむつ１が柔らかい印象を与えることができるが、人間の心理として、非接合部が二箇所に分かれている場合には一箇所分の非接合部の長さがそれほど長くなくてもユーザーに当該柔らかい印象を適切に持たせることができる。そこで、本実施の形態においては、分割非接合糸ゴムの非接合部の長さを中央非接合糸ゴムの非接合部の長さと比較して短くすることにより、おむつ１が柔らかい印象をユーザーに持たせる効果を維持しつつ、糸ゴムの接合を強化している。したがって、本実施の形態に係るおむつ１によれば、糸ゴムの接合を強化しつつ、柔らかいという印象をユーザーに与えることができる。
【００９８】
また、本実施の形態においては、背側胴回り部３０に設けられた中央非接合糸ゴムの非接合部の長さは、腹側胴回り部４０に設けられた中央非接合糸ゴムの非接合部の長さと異なっている。具体的には、図４に示すように、背側胴回り部３０において長さが１２０ｍｍであるのに対し、腹側胴回り部４０においては長さが１００ｍｍとなっている。
【００９９】
同様に、背側胴回り部３０に設けられた分割非接合糸ゴムの非接合部の長さは、腹側胴回り部４０に設けられた分割非接合糸ゴムの非接合部の長さと異なっている。具体的には、図４に示すように、背側胴回り部３０において長さが６５ｍｍであるのに対し、腹側胴回り部４０においては長さが７５ｍｍとなっている。
【０１００】
そのため、おむつ１のどちらが前（腹側）でどちらが後（背側）かを容易に判断することが可能となる。
【０１０１】
また、縦方向において二つの接合糸ゴムの間に非接合糸ゴムが設けられていることを既に述べたが、この二つの接合糸ゴム（例えば、第六腹側糸ゴム７６及び第八腹側糸ゴム７８）は、胴回り部の縦方向における中央部に設けられ、非接合糸ゴム（例えば、第七腹側糸ゴム７７）は、縦方向において二つの接合糸ゴム（第六腹側糸ゴム７６及び第八腹側糸ゴム７８）の間に一つのみ設けられている。また、前記二つの接合糸ゴム（第六腹側糸ゴム７６及び第八腹側糸ゴム７８）とは異なる二つの他の接合糸ゴム（例えば、第一腹側糸ゴム７１及び第二腹側糸ゴム７２）が、該二つの他の接合糸ゴム（第一腹側糸ゴム７１及び第二腹側糸ゴム７２）の間に非接合糸ゴムが配置されない状態で、胴回り部の縦方向における端部に設けられている。そして、前記中央部における接合糸ゴム（第六腹側糸ゴム７６又は第八腹側糸ゴム７８）と第七腹側糸ゴム７７の間隔は、前記端部における二つの接合糸ゴム（第一腹側糸ゴム７１及び第二腹側糸ゴム７２）の間隔よりも短くなっている（図４参照）。
【０１０２】
上述した第一腹側糸ゴム７１、第二腹側糸ゴム７２、第六腹側糸ゴム７６、第七腹側糸ゴム７７、第八腹側糸ゴム７８を例に挙げて、かかる構成の有効性を説明する。第七腹側糸ゴム７７は非接合糸ゴムであるため、第六腹側糸ゴム７６（第八腹側糸ゴム７８）と第七腹側糸ゴム７７の間隔を大きくしすぎると、接合糸ゴム間の間隔が広くなりすぎる。そこで、本実施の形態においては、第六腹側糸ゴム７６（第八腹側糸ゴム７８）と第七腹側糸ゴム７７の間隔を、第一腹側糸ゴム７１と第二腹側糸ゴム７２の間隔よりも短くしている。このことにより、接合糸ゴム間の間隔が広くなりすぎるのを防止することが可能となる。そして、このことにより、例えば、しっかりとフィットするという印象をユーザーに与えることが可能となる。
【０１０３】
また、本実施の形態においては、縦方向において第一非接合糸ゴム（例えば、第七腹側糸ゴム７７）と第二非接合糸ゴム（例えば、第九腹側糸ゴム７９）の間には、少なくとも一つの接合糸ゴム（例えば、第八腹側糸ゴム７８）が設けられている。そのため、第一非接合糸ゴム（第七腹側糸ゴム７７）の非接合部や第二非接合糸ゴム（第九腹側糸ゴム７９）の非接合部が大きく縦方向へ移動するのを双方の間に位置する接合糸ゴム（第八腹側糸ゴム７８）がブロックしてくれるため、非接合糸ゴムの非接合部が縦方向にずれる事象を適切に抑えることが可能となる。すなわち、非接合糸ゴムの非接合部が縦方向にずれ、着用者の動き等で着用時にゴムが厚み方向に重なってしまい、肌に強く当たりすぎる(跡が残る)というトラブルが発生しうるが、かかるトラブルを防ぐことが可能となる。
【０１０４】
＝＝＝その他の実施の形態＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【０１０５】
上記実施の形態においては、使い捨て着用物品としておむつ１を例に挙げて説明したが、これに限定されるものではない。例えば、ショーツ型ナプキンであっても構わない。
【０１０６】
また、上記実施の形態においては、弾性部材として糸ゴムを例に挙げたが、これに限定されるものではなく、弾性を有するものであればどのようなものでも構わない。例えば、弾性シートであってもよい。
【符号の説明】
【０１０７】
１  おむつ、１ａ  胴周り開口、１ｂ  脚周り開口
１０  吸収性本体、１０ａ  一端部、１０ｂ  他端部
１１  吸収体、１１ａ  上端
２４  トップシート部材
２５  バックシート部材、２５ａ  防漏シート、２５ｂ  外装シート
２６  コアラップ
２８  胴回り部シート、２８ａ  サイドトップ、２８ｂ  アウターバック
３０  背側胴回り部、３０ａ  背側両縁部、３０ｂ  上端
３１  吸収体重なり部、３１ｂ  上端
４０  腹側胴回り部、４０ａ  腹側両縁部、４０ｂ  上端
４１  吸収体重なり部、４１ａ  端、４１ｂ  上端
５０  背側糸ゴム
５１  第一背側糸ゴム、５２  第二背側糸ゴム、５３  第三背側糸ゴム
５４  第四背側糸ゴム、５５  第五背側糸ゴム、５６  第六背側糸ゴム
５７  第七背側糸ゴム、５８  第八背側糸ゴム、５９  第九背側糸ゴム
６０  第十背側糸ゴム、６１  第十一背側糸ゴム、６２  第十二背側糸ゴム
６３  第十三背側糸ゴム、６４  第十四背側糸ゴム、６５  第十五背側糸ゴム
７０  腹側糸ゴム
７１  第一腹側糸ゴム、７２  第二腹側糸ゴム、７３  第三腹側糸ゴム
７４  第四腹側糸ゴム、７５  第五腹側糸ゴム、７６  第六腹側糸ゴム
７７  第七腹側糸ゴム、７８  第八腹側糸ゴム、７９  第九腹側糸ゴム
８０  第十腹側糸ゴム、８１  第十一腹側糸ゴム、８２  第十二腹側糸ゴム
８３  第十三腹側糸ゴム、８４  第十四腹側糸ゴム、８５  第十五腹側糸ゴム
Ａ  内側箇所
Ｂ  はみ出し部分
【要約】
縦方向と、前記縦方向と交差する横方向と、を有し、二つのシートと、前記二つのシートの間に挟まれ、かつ、前記横方向に沿った複数の弾性部材と、を備える使い捨て着用物品であって、前記弾性部材として、前記二つのシートのうちの少なくとも一方に前記シートの前記横方向における一端部から他端部に亘って接合された二つの接合弾性部材と、前記縦方向において前記二つの接合弾性部材の間に設けられ、かつ、前記二つのシートのうちの少なくとも一方に前記一端部及び前記他端部において接合され、前記一端部と前記他端部との間に前記二つのシートのいずれにも接合しない非接合部を有する非接合弾性部材と、を有することを特徴とする。【図１】
0005879462.tif 000002
【図２】
0005879462.tif 000003
【図３】
0005879462.tif 000004
【図４】
0005879462.tif 000005
【図５】
0005879462.tif 000006
【図６】
0005879462.tif 000007